Podtech/llm-jp-corpus-v4-ja_patent huggingface dataset:
(57)【要約】      （修正有）【課題】見守り介護や、農家における生育管理を簡便に行えるシステムを提供する。【解決手段】屋内外のセンサー・身体センサーＢ、Ｃからの情報は、コンセントアダプターＡに内蔵された小型コンピュータに接続されたＵＳＢポートの受信機を介し、クラウド上で解析を行う。解析されたデータは、コンピュータ端末によって確認する。介護対象者の必要とする情報や、電源を有するビニールハウスにおける環境などを確認する。室温の制御等も外部から行う。収集されたデータをクラウド上で蓄積する。外気温、介護対象者における健康状態の体温等を数値化する。屋内外或いは身体に装着されたセンサーを一括管理する。【選択図】図１
2018125830.tif 000002
【特許請求の範囲】
【請求項１】
屋内外のセンサーとコンセントアダプターに内蔵された小型コンピュータ、更にはＰＬＣ（ｐｒｏｇｒａｍｍａｂｌｅ  ｌｏｇｉｃ  ｃｏｎｔｒｏｌｌｅｒ）等の有線或いは無線通信によって接続された１個以上のコンセントアダプターによって構築された情報伝達システムを用いる事によって、クラウド上でのデータ解析を行う事のできる総合管理システム。
【請求項２】
クラウド上で解析されたデータは、コンピュータ端末での収集が可能な請求項１の総合管理システム。
【請求項３】
クラウド上で解析されるデータは身体における心拍・体温・血圧等や、屋内外の気温・湿度等、更にはウエブカメラによる画像・火災・ガス漏れ等のセキュリティーを含む請求項１の総合管理システム。
【請求項４】
クラウド上で解析されたデータは蓄積され、統計データとして標準値を計算される請求項１の総合管理システム。
【請求項５】
コンセントアダプターに内蔵された小型コンピュータは双方向性を有する事で、通信端末より屋内外の機器を操作できる請求項１の総合管理システム。
【発明の詳細な説明】
【技術分野】
【０００１】本発明は、コンセントアダプターを用いた総合管理システムに関するものである。
【背景技術】
【０００２】例えば医療施設においては従来、看護師が病室を回ることで患者の状態を確認していた。急な容態の変化の際はナースコールを用いる事で、患者自身からの連絡に頼っていた。自宅で老人介護を行う場合でも、介護者の負担は大きく外出する事さえ困難な状況にあった。【０００３】農業分野においても、ビニールハウスにおいての温度や湿度管理は大きな問題で、その都度調整したり、野菜等の栽培状況を確認する事は、人での少ない農家にとっては大きな問題点となっていた。
【参考文献】
【０００４】
【参考文献１】
特願２０１１−５４３９４２
【参考文献２】
特願２００９−１５０８４８
【参考文献３】
特願２０１０−１２８９７１
【参考文献４】
特願２０１４−１９９２２５
【発明の開示】
【発明が解決しようとする課題】
【０００５】本発明は見守り介護や、農家における生育管理を簡便に行える事を課題とした。
【課題を解決するための手段】
【０００６】本発明は、屋内外或いは身体に装着されたセンサーを一括管理できるシステムを作る事で、どのような場合においても、取り付けが簡単で、操作がし易い相互管理システムの開発を行った。【０００７】屋内外のセンサー・身体センサーからの情報は、コンセントアダプターに内蔵された小型コンピュータに接続されたＵＳＢポートの受信機を介し、クラウド上で解析を行う。解析されたデータは、コンピュータ端末によって確認する事ができる。これによって、介護対象者の必要とする情報や、電源を有するビニールハウスにおける環境などが確認でき、負担の軽減が可能となる。また、室温の制御等も外部から出来るようにした。
【背景技術】
【０００８】従来、身体センサーや温度センサー等では製造メーカーの規格もあるが、全てものに対応する事は難しかった。多くのセンサーを用いる場合、複雑なシステムを構築する必要があり、膨大な費用は発生した。
【発明を実施するための最良】
【０００９】本発明は小型コンピュータにＵＳＢポートを設け受信機を接続する事で、どこにでもあるコンセントにコンセントアダプターを接続する事で複雑なシステムを作ることなく目的を達成した。また、管理する場所が異なる場合、複数にコンセントアダプターをＰＬＣ（ｐｒｏｇｒａｍｍａｂｌｅ  ｌｏｇｉｃ  ｃｏｎｔｒｏｌｌｅｒ）等の有線または無線で接続する事により、一括管理できるようにした。
【００１０】本発明は収集されたデータをクラウド上で蓄積する事により、標準値という概念を導入した。例えば、苗の生育の場合の必要とする外気温、介護対象者における健康状態の体温等を数値化することで、測定した数値での判断基準を設けた。
【産業上の利用可能性】
【００１１】本発明は、電源を有するビニールハウス等の環境制御・介護分野においての介護者の負担の軽減、工場内の火災・ガス漏れ等のセキュリティー分野においても有用と考えられる。更には自宅における管理等可能なものとなり、コンセントを有する場所での利用は大きく広がる。
【図面の簡単な説明】
【００１２】
【図１】はセンサー（Ｂ或いはＣ）からコンセントアダプター（Ａ）に更にはクラウドサーバー（Ｄ）へのデータの流れを示したものです。
【図２】は複数のコンセントアダプター（Ａ１）から、主となるコンセントアダプター（Ａ）を経由してクラウドサーバー（Ｄ）にデータの流れを示したものである。
【図３】はコンセントアダプター（Ａ１）からコンセントアダプター（Ａ）更にはクラウドサーバー（Ｄ）にデータが送られ、解析後、コンピュータ端末（Ｅ）に送信される事を示したものである。
【符号の説明】
【００１２】（Ａ）は主となるコンセントアダプターである。
（Ａ１）はその他のコンセントアダプターである。
（Ｂ）はセンサーである。
（Ｃ）はセンサーである。
（Ｄ）はクラウドサーバーである。
（Ｅ）はコンピュータ端末である。
【図１】
2018125830.tif 000003
【図２】
2018125830.tif 000004
【図３】
2018125830.tif 000005
(57)【要約】【課題】  今までのスピーカーシステムは、新規に購入する際、音質とデザインを総合的に考慮するも、音質を優先することにより、音質とデザインを最良のものに出来なかった。【解決手段】  スピーカーケースを使用することにより、スピーカーシステムが音色、スピーカーケースがデザインと分けて選択できるため、部屋に合ったデザインで、好みに合った音色で音楽が楽しめる。  スピーカーケースの構造を説明する。ケースの前面は、プリントなどが出来る薄手のネットが貼り付けるようにし、側面は、中高音が遮音できる遮音材または、半遮音材（材質は、紙類、木材などがあり音質的には竹マットが良好である。）、上部と底部は強度が保てる材質として、ケースを形成する。  ケース前面は、フルレンジスピーカーの場合、口径程度の開口部を設け、後面は、出来るだけ大きな開口部とすることにより、スピーカーシステムの出し入れが容易になり、音質の向上が認められる。【特許請求の範囲】
音を再生しているスピーカーシステムを入れるケース
【発明の詳細な説明】
【技術の分野】
【０００１】  この発明は、音を発生しているスピーカーシステムを入れるケースである。
【背景技術】
【０００２】  今までのスピーカーシステムは、新規に購入する際、音質とデザインを総合的に考慮するも、おもに音質を優先して選択していた。
【先行技術文献】
【特許文献】
【０００３】
【特許文献１】特開００００−００００００号公報
【発明の概要】
【発明が解決しようとする課題】
【０００４】  今までのスピーカーシステムでは、音質とデザイン両方を最良のものに出来なかった。
スピーカーケースを使用することにより、スピーカーシステムが音色、スピーカーケースがデザインと分けて選択できるため、部屋に合ったデザインで、好みに合った音色で音楽が楽しめる。
【課題を解決するための手段】
【０００５】  デザインを優先する、スピーカーシステムが収納できるケースを設ける。
【発明の効果】
【０００６】  ケースは、好みに合う色、模様、絵柄に出来、形状も四角形以外の形状も採用できる。
音質に関しては、スピーカーシステムから放射する音を前面以外（室内全体に広がる音と、回析効果による音波の乱れを軽減）遮音効果によって、音質の向上が見られる。
【図面の簡単な説明】
【０００７】  四角形のスピーカーケースを例とする。
【図１】正面図
【図２】背面図
【図３】右側面図
【図４】左側面図
【図５】平面図
【図６】底面図
【発明を実施するための形態】
【０００８】  以下、本発明を実施するための形態について説明する。
このケースの前面は、プリントなどが出来る薄手のネット、側面は、中高音が遮音できる遮音材または、半遮音材（材質は、紙類、木材などがあり音質的には竹マットが良好である。）、上部と底部は強度が保てる材質として、ケースを形成する。
ケース前面は、フルレンジスピーカーの場合、口径程度の開口部を設け、後面は、出来るだけ大きな開口部とすることにより、スピーカーシステムの出し入れが容易になり、音質の向上が認められる。
【０００９】  なし
【図１】
2018125827.tif 000002
【図２】
2018125827.tif 000003
【図３】
2018125827.tif 000004
【図４】
2018125827.tif 000005
【図５】
2018125827.tif 000006
【図６】
2018125827.tif 000007
(57)【要約】      （修正有）【課題】補聴器において、ハウリング防止を根本的に行う手段を提供する。【解決手段】入力波形Ａに対する出力波形Ｂの遅延時間を、時間経過とともに変化させることを繰り返し、信号周波数に変化を与えハウリングを防止する。【選択図】図４
2018125831.tif 000002
【特許請求の範囲】
【請求項１】
信号に対して遅延量を時間とともに変化させた出力を使用してハウリングを防止することを特徴とする補聴器のハウリング防止方式
【請求項２】
遅延量を一定時間増大させ次の一定時間減少させることを特徴とする請求項１の補聴器のハウリング防止方式
【発明の詳細な説明】
【技術分野】
【０００１】  この発明は補聴器のハウリングを防止するための回路構成に係る。
【背景技術】
【０００２】  補聴器のハウリングは補聴器が小型化するにつれて増加し防止が大変困難であった。
【発明の開示】
【発明が解決しようとする課題】
【０００３】  回路によって入力出力の位相を変えてハウリングを防止することなどが実施されてきたがまた別の周波数でハウリングが発生して根本的対策にはなりえないものであった。
【課題を解決するための手段】
【０００４】  入力信号の周波数と出力周波数とを変化させればハウリングは原理的に発することが出来なくなりハウリングの根本的解決策になる。【０００５】  これをデジタル記憶素子によって実施する方式は別特許によって出願中であるが、この発明はデジタル方式によらずに実施する新たな方式である。
これを図によって説明する。
図１は本発明の遅延量の変化図である。縦軸は遅延量（時間）であり横軸は経過時間である。時間経過とともに遅延量が増加し最大で０にもどりこれを繰り返す。
図２は別の遅延量の変化図である。縦軸は遅延量（時間）であり横軸は経過時間である。時間経過とともに遅延量が増加し最大で減少に転じて０に戻ったらこれを繰り返す。
図３は遅延発生の回路例である。コンデンサＣ１，Ｃ２によるサンプルホールド回路である。Ｓ１，Ｓ２はスイッチである。一定のサンプリング時間でＳ１がｏｎになる。Ｓ１のｏｎ後ｔ時間遅れてＳ２をｏｎすればＣ１の電圧がＣ２に移植されて遅延が達成される。これは遅延回路として公知であるので詳細には説明しない。
遅延時間ｔを時間経過とともに変化させるのが本発明の主点である。
図４はこの効果を示す波形図である。図において遅延量が時間経過とともに大きくなっている。入力波形と出力波形は図の両抱絡線で示されるから実線及び破線にて示されるようにずれが出来て出力波形は入力波形に比べて横に伸びている。これは出力周波数が低くなったことを示している。同様に遅延量を時間経過とともに短縮して行くと出力周波数は高くなる。
この方式では一定時間内で信号の経過時間に変化が生じて波形がひずむことによって周波数に変化が発生したのである。
具体的に補聴器について記載する。補聴器の信号周波数帯域は最高周波数１０ｋｈｚであるからサンプリング周波数は２０ｋｈｚ程度となる。これはサンプル周期５０μＳに相当する。遅延量は最大でこの値までしか取れないので最大遅延５０μＳ，はじめ０から２μＳずつ増大させてゆけば２５ステップで５０μＳに到達する。これは１周期が２５Ｘ５０＝１２５０μＳすなわち１．２５ｍＳ（８００ｈｚ）が１周期となることをしめしている。信号周波数は１．２５ｍＳについて５０μＳだけ延伸したのであるから５０／１２５０＝０．０４（４％）だけ低下したことになる。
ハウリング周波数は普通３ｋｈｚ付近であるからこの条件によって０．１２ｋｈｚの低下になるのでハウリングは発生できないと考えられる。
【発明の効果】
【０００６】  従来の方法では防止出来なかった補聴器のハウリングが根本的に除去できる
【発明を実施するための最良の形態】
【０００７】  信号周波数が変化するので聞き取り信号の音色が変化する。これはあまり大幅になると不快となるので考慮が必要である。実用的には５％程度が適当かと思われる。
【図面の簡単な説明】
【０００８】  図１、図２、図４において縦軸横軸とも時間  図４では縦軸は電圧  横軸は時間である。
【図１】時間経過に伴う遅延量の変化
【図２】時間経過に伴う遅延量の別の変化
【図３】遅延発生回路の例
【図４】本発明の効果を示す図
【符号の説明】
【０００９】  １  Ｓ１，Ｓ２    スイッチ
２  Ｃ１，Ｃ２    コンデンサ
３  Ａ１          入力波形
４  Ａ２          出力波形
【図１】
2018125831.tif 000003
【図２】
2018125831.tif 000004
【図３】
2018125831.tif 000005
【図４】
2018125831.tif 000006
(57)【要約】      （修正有）【課題】補聴器のハウリングを防止する方式を提供する。【解決手段】一定量の位相変化を与えるのではなくて時間とともに位相変化量を変更するか、入力信号のレベルに対応した位相変化を与えることによってハウリングを防止する。【選択図】図３
2018125832.tif 000002
【特許請求の範囲】
【請求項１】
増幅器の位相推移を時間とともに変化させてハウリングを防止することを特徴とする電子回路の構成
【請求項２】
増幅器の位相推移を入力信号のレベルに関連して変化させてハウリングを防止すること特徴とする電子回路の構成
【発明の詳細な説明】
【技術分野】
【０００１】  この発明は補聴器のハウリング防止のための方式に係る。
【背景技術】
【０００２】  従来増幅器の位相を変えてハウリングを防止する方式は多数こころみられている。しかしいづれも安定した防止策にはなっていない。
【発明の開示】
【発明が解決しようとする課題】
【０００３】  従来の位相変化方式はいづれも一定量の位相推移を起こすものでありこれではハウリングを防止できないことは公知であった。
【課題を解決するための手段】
【０００４】  本発明では一定量の位相変化を与えるのではなくて時間とともに位相変化量を変更するか、入力信号のレベルに対応した位相変化を与えることによってハウリングを防止する。【０００５】  図１は定利得位相推移回路である。コンデンサＣと可変抵抗ＶＲによって出力位相が推移するがオペアンプ１の負入力に抵抗Ｒ１，Ｒ２による負帰還がかかっているので増幅度は一定を保つ。この回路は公知であるから説明は省く。
図２はこの回路のＶＲを外部信号２によって変化させて位相変化量を時間とともに変化させる構成を示す。外部信号は定周波数の発振器で構成する。
図３はＶＲを入力信号のレベルに対応して変化させる構成を示す。入力信号は検波平滑回路３によってレベル量に変換される。この出力によってＶＲを変化させて位相変化量を可変する。
【発明の効果】
【０００６】  ハウリングは自己発振であるから一定の立ち上がり時間を要する。
この時間以内に増幅器の位相が変化すれば持続した発振すなわちハウリングが発生することはない。すなわち増幅器の位相が変化すればハウリングが持続できないことになる。
【発明を実施するための最良の形態】
【０００７】  可変抵抗ＶＲとして電子ボリウムの使用やトランジスタのＣ−Ｅ抵抗を使用することなど既存素子の活用が有効である。
【図面の簡単な説明】
【０００８】
【図１】本発明を採用した位相推移回路
【図２】その可変部分の回路
【図３】第２の構成の場合の可変部分の回路
【符号の説明】
【０００９】１  オペアンプ
２  外部信号
３  検波平滑回路
Ｃ  コンデンサ
ＶＲ  可変抵抗
Ｒ１，Ｒ２  抵抗
【図１】
2018125832.tif 000003
【図２】
2018125832.tif 000004
【図３】
2018125832.tif 000005
(57)【要約】      （修正有）【課題】雑菌が繁殖して悪臭を放つ事や人に感染すると重大な症状を引き起こす菌の接触感染を防止する為に、殺菌作用のある金属や合金を人が触る部分に使用して殺菌し、悪臭や菌の感染を防止する。【解決手段】殺菌作用のある純銅や銀を含有した合金をドアノブや手擦り、パソコンのキートップ、電話機のボタン、オーディオ機器のボタン、住宅用エアコンの室内機内部の放熱フィン、車のカーエアコンの内部等、人が触る部分や悪臭を放つ部分に使用して殺菌し、雑菌の繁殖を防いで悪臭や菌の感染を防止する。その為には、コストの面からドアノブや手擦り、パソコンのキートップ、電話機のボタン、オーディオ機器のボタン、住宅用エアコンの室内機内部の放熱フィン、車のカーエアコン内部の放熱フィン等には、殺菌作用のある純銅のメッキを、殺菌作用を示す様に厚めにメッキする。【選択図】なし【特許請求の範囲】
【請求項１】
殺菌作用のある金属や合金をドアノブや手擦り、カーエアコンの内部等、人が触る部分や雑菌が繁殖する場所に使い、悪臭や菌の感染を防止する方法
【発明の詳細な説明】
【技術分野】
【０００１】  この発明は、工学分野に関する物である。
【発明の概要】
【０００２】  この発明は、銅や銀などの殺菌作用のある金属や合金をドアノブや手擦り、パソコンのキートップ、電話機のボタン、オーディオ機器のボタン、車のカーエアコンの内部等、雑菌が繁殖して悪臭を放ったり、人に感染して広がるのを防ぐ物である。
【背景技術】
【０００３】  人が良く触るドアノブや手擦り、パソコンのキートップ、車のカーエアコンの内部のフィン等には雑菌が繁殖して悪臭を放ったり、人に感染すると重大な症状を引き起こす菌が付着していて、殺菌作用のある純銅を使った台所用の三角コーナーや銀を含有した銀・チタン合金の包丁が在り、病院内などでは院内感染を防止する為にドアノブや手擦りなどの拭き掃除が頻繁に行われている。
【発明の開示】
【発明が解決しようとする課題】
【０００４】  雑菌が繁殖して悪臭を放つ事や人に感染すると重大な症状を引き起こす菌の接触感染を防止する為に、殺菌作用のある金属や合金を人が触る部分に使用して殺菌し、悪臭や菌の感染を防止する。
【課題を解決するための手段】
【０００５】  殺菌作用のある純銅や銀を含有した合金をドアノブや手擦り、パソコンのキートップ、電話機のボタン、オーディオ機器のボタン、車のカーエアコンの内部等、人が触る部分に使用して殺菌し、雑菌の繁殖を防いで悪臭や菌の感染を防止する。その為には、コストの面からドアノブや手擦り、パソコンのキートップ、電話機のボタン、オーディオ機器のボタン等には純銅のメッキをし、車のカーエアコンの内部のフィン等には、カーエアコンの構造的に純銅のメッキは難しいので、殺菌作用と熱の伝導率の高い純銅をそのまま使う。
【発明の効果】
【０００６】  この発明により、ドアノブや手擦り、パソコンのキートップ、電話機のボタン、オーディオ機器のボタン等は雑菌の繁殖が抑えられて、病院内や電車内のドアノブや手擦りの拭き掃除の回数が減り、車のカーエアコンは、結露に依るカーエアコン内の雑菌の繁殖が抑えられて、カーエアコンを使い始める時の不快な悪臭が抑えられる。
【手続補正書】
【提出日】平成29年8月31日(2017.8.31)
【手続補正２】
【補正対象書類名】明細書
【補正対象項目名】０００５
【補正方法】変更
【補正の内容】
【０００５】  殺菌作用のある純銅や銀を含有した合金をドアノブや手擦り、パソコンのキートップ、電話機のボタン、オーディオ機器のボタン、住宅用エアコンの室内機内部の放熱フィン、車のカーエアコンの内部等、人が触る部分や悪臭を放つ部分に使用して殺菌し、雑菌の繁殖を防いで悪臭や菌の感染を防止する。その為には、コストの面からドアノブや手擦り、パソコンのキートップ、電話機のボタン、オーディオ機器のボタン、住宅用エアコンの室内機内部の放熱フィン、車のカーエアコン内部の放熱フィン等には、殺菌作用のある純銅のメッキを、殺菌作用を示す様に厚めにメッキする。
【手続補正３】
【補正対象書類名】明細書
【補正対象項目名】０００６
【補正方法】変更
【補正の内容】
【０００６】  この発明により、ドアノブや手擦り、パソコンのキートップ、電話機のボタン、オーディオ機器のボタン等は雑菌の繁殖が抑えられて、病院内では院内感染が減り、電車内では、ドアノブや手擦りの拭き掃除の回数が減り、住宅用エアコンや車のカーエアコンは、結露に依るエアコン内の放熱フィンの雑菌の繁殖が抑えられて、住宅用エアコンや車のカーエアコンを使い始める時の不快な悪臭が抑えられる。
(57)【要約】【課題】  中敷の前部と後部に窪みを設けることで、指の付け根部と踵部が沈む、靴の窪みつき中敷を提供する。【解決手段】  靴の中敷き（１）に、前部窪み部（２）と後部窪み部（３）を設けた靴の窪みつき中敷を特徴とする。【選択図】図１
2018118016.tif 000002
【特許請求の範囲】
【請求項１】
弾力性と厚みのある中敷き（１）に、前部窪み部（２）と後部窪み部（３）を設けた靴の窪みつき中敷。
【発明の詳細な説明】
【技術分野】
【０００１】この発明は、弾力性と厚みのある靴の中敷に、前部と後部に窪みを設けた靴の中敷に関するものである。
【背景技術】
【０００２】従来、靴の中敷に、前部と後部に窪みを設けた靴の中敷はなかった。
【先行技術文献】
【特許文献】
【０００３】
【特許文献１】
【発明の概要】
【発明が解決しようとする課題】
【０００４】これは次のような欠点があった。
従来の靴の中敷は、平面と底面が平らであるものや、足の裏に添う形状のものがあるが、楽に漠然と歩行しているので足や腰が鍛えられない。
本発明は、以上のような欠点をなくすためになされたものである。
【課題を解決するための手段】
【０００５】弾力性と厚みのある靴の中敷（１）の前部窪み部（２）に横方向に楕円形の窪みを設け、平面は広く底面は狭く傾斜にする。
後部の窪み部（３）には円形の窪みを設け、平面は広く底面は狭く傾斜にする。
本発明は、以上のような形状からなる靴の窪みつき中敷である。
【発明の効果】
【０００６】着地したとき、踵部（５）が後部窪み部（３）に沈んでいるので横ブレが軽減される。【０００７】着地したとき、指の付け根部（４）が前部窪み部（２）に沈み爪先部（６）が指の付け根部（４）より高くなっているので後ろに蹴りだすとき、緩やかな上り坂を歩行している感覚である。
意識的に後ろに蹴ることで、大腿四頭筋が鍛えられ転倒防止になる。【０００８】着地したとき、中敷（１）の前部窪み部（２）に楕円形の窪みを設けることで、外側が傾斜で高くなっているので、重芯が内部にくる。よって、足首、膝関節、股間接が一直線になり、膝関節の歪み防止になる。
【図面の簡単な説明】
【０００９】
【図１】  本発明の左右対称の斜視図である。
【図２】  本発明の断面図である。
【図３】  本発明の平面図である。
【図４】  本発明の底面図である。
【発明を実施するための形態】
【００１０】以下、本発明を実施するための形態について説明する。
弾力性と厚みのある靴の中敷（１）の前部窪み部（２）は横方向に楕円形の窪みを設け、この窪みの底面は狭く、平面に広く傾斜する。
後部窪み部（３）は円形の窪みを設け、この窪みの底面も狭く平面を広く傾斜にする。
本発明は以下のような形状である。
歩行時、靴の中敷（１）の後部窪み部（３）に踵部（５）が沈み前部窪み部（２）に指の付け根部（４）が沈んで爪先部（６）が高くなっているので、後ろに蹴り出すとき緩やかな上り坂を歩行している感覚である。意識的に後ろに蹴ることで、大腿四頭筋が鍛えられ足腰が丈夫になり転倒防止になる。
【符号の説明】
【００１１】１  中敷
２  前部窪み部
３  後部窪み部
４  指の付け根部
５  踵部
６  爪先部
【図１】
2018118016.tif 000003
【図２】
2018118016.tif 000004
【図３】
2018118016.tif 000005
【図４】
2018118016.tif 000006
(57)【要約】      （修正有）【課題】盲人が歩行をしていて盲人の前面に障害物などを検出したり、起立しようとした時には杖を垂直にしても固縛した車輪の違和感が無く、歩行をするにはつえの先端を使用者の前面に出して車輪を押し出すように歩行が出来て杖の先端と車輪の感触で使用者の前面の障害物の検出が容易な杖を提供する。【解決手段】使用する杖１の先端の適切な場所に適切なサイズと適切な形状の車輪２を取付けて、杖の先端が地面に触れる事なしにキャスターを先に押し出す状態で歩行をして、先端に異常があれば杖の石突きか車輪で直ちに杖の使用者に異常が感知される。先端に触れなくても車輪の感触で障害物の有無が判別する事が可能である。本製品はオルゴール音を出すが、取り付けた車輪に突起物を付けて、白杖を使用する際に杖を押し出した回転の作用により予め取り付けた音階のリズムが出る仕組みとする。【選択図】図１
2018118018.tif 000002
【特許請求の範囲】
【請求項１】
盲人などが杖を使用する先端の適切な場所に適切なサイズの適切な形状の車輪を該杖と一体化して成型をして他に車輪装置を固縛した装置である。
【請求項２】
本製品は使用者が先端を地面に付けて歩行中にオルゴールのように、車輪の適切な場所に突起物を設けて杖の適切な場所に突起物が触れたら音の出る適切な装置を取付け音声が出る仕組みとする。
【発明の詳細な説明】
【技術分野】
【０００１】盲人が外出などで歩道の凹凸や段差などを検出するには、該白杖の先端部を浮かして歩行をしている。
そこで杖の先端部（石突き）の上部に杖と一体化した本発明の装置を成型して仕上げる蚊の適切な位置に適切なサイズと適切な形状の車輪を固縛して使用物は固縛した車輪を使用者の先に押し出すようにして、歩行が出来るので従来の白杖では先端の摩耗を防ぐにも常に少し浮かした状態で歩行をしているので疲労感が伴うので本製品は疲労感の状態の解決と摩耗を防ぐ事が望める。
【背景技術】
【０００２】杖の接地部に近い場所に適切なサイズと適切な形状の車輪を左右に垂直にした時に杖として使用出来る位置に取り付け、使用者が歩行をする際には杖の先端が凹凸や段差の異常を感知出来る製品とする。
【特許文献】ナシ
【発明の開示】
【０００３】本発明は、盲人が外出するには、白杖などで点字ブロックや歩道の凹凸、段差などを杖を常に歩道などに接地させて歩行をしていて、杖の先端を小刻みに動かしながら検知をして歩行をしている。
【０００４】本発明品は、該杖などの先端に適切なサイズと適切な形状の車輪を使用者の体型に合わせて取り付けが可能であるので汎用品として容易に取り付けが出来る。
【発明が解決しようとする課題】
【０００５】本発明品は、盲人が歩行をしていて盲人の前面に障害物などを検出したり、起立しようとした時には杖を垂直にしても固縛した車輪の違和感が無く、歩行をするにはつえの先端を使用者の前面に出して車輪を押し出すように歩行が出来て杖の先端と車輪の感触で使用者の前面の障害物の検出が容易に出来る。
【０００６】車輪の取り付けた杖の収納には従来の杖と変わりがないので不便さはないと感じられる。
【０００８】屋外の階段で不揃いの段差などには、常に本発明品を設置させながら盲人が歩行する際に特別有利な製品である。
【課題を解決するための手段】
【０００９】本発明品は、該杖の先端を使用者が常に歩道などに接地して歩行をするために該杖の先端が摩耗をするので駅などの施設内では、細かく接地しながら歩行をし、プラットホームの点字ブロックの検出や電車とホームの感覚の検出が難しい。その上、歩行中に小刻みに床を叩くので周囲から「ウルサイ」と顰蹙を受けやすい。
【００１０】本発明品は、該杖にも本発明品を杖に一体化したり、本製品を固縛出来て古い杖にも取り付けが可能である。
【００１１】本装置の車輪の適切な場所に突起物を設けて該杖の適切な位置に突起物が触れると振動して、該オルゴールのように適切な音声が発生する仕組みとして歩行者の歩行速度などのリズム感が得られる。
【発明の効果】
【００１２】本発明品は、該杖などの適切な場所に軽量の発明品を固縛が出来るので使用者は自分の体の先に押し出す形で私用が出来るので該杖の使用と違和感が無く使用が出来る。
【発明を実施するための最良の形態】
【００１３】本装置は該白杖の先端部の適切な場所に適切なサイズと適切な形状の車輪を白杖の下部に当たる場所に成型して一体化するか固縛する。【００１４】図１は杖の先端部に本発明品を取付けた図で横面からの図である。
使用者が歩行中に車輪より地面の間に間隔があくので先端の摩耗がナイ。【００１５】図２は杖に取り付けた上面の図であるが車輪は杖の取り付け部の両側に位置する。。【００１６】図３は杖を垂直に立てた図である。【００１７】図４は車輪から音の出る仕組みと取付け図である。
【実施例】
【産業上の利用可能性】
【００１８】本装置は盲人が該白杖を使用する際に、該白杖では歩行する際に先端で常に地面を小刻みに動かして障害物の検出をしているが、車輪を取付けた本装置は今までと同じ使用方法で前面に押し出す歩行で障害物の感知が出来る。
又、取り付けた車輪の適切な場所に突起物を取付けてオルゴールの方法でリズム感を得られて歩行のリズム感を得ながら歩行が可能である。
【図面の簡単な説明】
【００１９】
【図１】は杖を横に見た図で車輪を取付けた図である。
【００２０】
【図２】は杖の先端に車輪を取付けて上面から見た図である。
【００２１】
【図３】は杖の先端に車輪を取付けて歩行状態で車輪より石突きが地面より離れた図である。
【００２２】
【図４】は（４）車軸受けと車軸と（２）車輪の取り付けた横面図である。（２）の取り付け内側に突起を設けて（４）車軸受けの適切な箇所に適切な振動板を取付けて音声を出る仕組みとする。
【符号の説明】
【００２３】１  杖  ２  車輪  ３  車軸  ４  車軸受け  ５  杖先の石突き
【図１】
2018118018.tif 000003
【図２】
2018118018.tif 000004
【図３】
2018118018.tif 000005
【図４】
2018118018.tif 000006
(57)【要約】【課題】  本発明は、名札ケースを外さなくても個人情報を簡単に隠すためになされたものである。【解決手段】  名札ケース本体を折りたためるように設計し、表面に名札やカードが見えるための窓を開け裏面は個人情報を隠せるように覆い、両面ホックで表面、裏面のどちら側を表にしても、止められるようにしたことを特徴とする名札ケース。【選択図】図３
2018118017.tif 000002
【特許請求の範囲】
【請求項１】
名札ケース本体を折りたためるように設計し、表面に名札やカードが見えるための窓を開け裏面は個人情報を隠せるように覆い、両面ホックで表面、裏面のどちら側を表にしても、止められるようにしたことを特徴とする名札ケース。
【発明の詳細な説明】
【技術分野】
【０００１】  本発明は、名札やカードをケースに入れて首から吊り下げて使用する際、個人情報を簡単に隠すように工夫した名札ケースに関するものである。
【背景技術】
【０００２】  従来、吊り下げ型の名札ケースは、相手から一目でわかることが目的でケース前面に大きな窓が付いていた。その為外出や交通機関に乗車する際名札ケースを外し忘れると、関係者以外に個人情報が見えてしまうことがあった。
【発明の概要】
【発明が解決しようとする課題】
【０００３】  本発明は、名札ケースを外さなくても個人情報を簡単に隠すためになされたものである。
【課題を解決するための手段】
【０００４】  名札ケースは予め二つ折りにした構造にする。
折った外側に名札を入れたら見えるように窓を開ける。
内側には名札が見えないように窓は開けない。
二つ折り面を下にし、上部には吊り下げパーツと、片側にオス、反対側にメスの部品が付いたホック（両面ホック）を二ヵ所、開閉ができる位置に取り付ける。
以上の構成からなる名札ケース。
【発明の効果】
【０００５】  二つ折りにした名札ケースは、名札を見せたい時は窓面を表側にしてホックで留め吊り下げることにより、相手から見て窓面から情報が判る。
個人情報を見せたくない場合は、ホックを外しひっくり返して窓面を内側にして同じホックで留める。
首から吊り下げたまま簡単に個人情報を隠すことができる。
【図面の簡単な説明】
【０００６】
【図１】  本発明の窓面（表面）の正面図である。
【図２】  本発明の内側面の正面図である。
【図３】  本発明の窓面を表面にしてホックで留めた図である。
【図４】  本発明の内側面を表面にしてホックで留めた図である。
【発明を実施するための形態】
【０００７】  以下本発明の実施の形態を説明する。
（イ）本体（１）に名札やカードが見えるサイズの窓（２）を開けて、窓（２）にプラス    チック板をテープや縫製等で取り付ける。
（ロ）本体内側面（３）に名札やカードを挿入する差込み口（４）を作り、名札やカード    を出し入れできるようにする。
（ハ）本体（１）を両端からそれぞれ折りたたみ、カードが入れられるように成形し縫製    等で接着する。
（ニ）本体（１）折りたたみ側中央に両面ホック（５）を２か所取り付ける。その際、本    体（１）をどちら側から折りたたんでも両面ホック（５）で留められるように取り付    ける。
本発明は以上のような構成である。
本発明を使用するときは、二つ折りにした名札ケースの名札やカードが見えたい時は窓のある面を表側にして両面ホックで留め吊り下げることにより、相手から見て窓面から情報が判る。
外出等で個人情報を見せたくない場合は、ホックを外しひっくり返して窓面を内側にして同じ両面ホックで留める。
首から吊り下げたまま簡単に個人情報を隠すことができる。
【符号の説明】
【０００８】１  本体
２  窓
３  本体内側面
４  差込み口
５  両面ホック
６  ストラップ付具
【図１】
2018118017.tif 000003
【図２】
2018118017.tif 000004
【図３】
2018118017.tif 000005
【図４】
2018118017.tif 000006
(57)【要約】      （修正有）【課題】水着用バストパッドの洗濯および脱水時の型崩れ防止を目的とした洗濯用具を提供する。【解決手段】大小のドーム状の網を連結した洗濯用具であって、水着用バストパッドの凸側を覆う網１と、水着用バストパッドの凹側を覆う網２の間に水着用バストパッドを挟み込む構成とすることで、洗濯用具が丁度収まる大きさの洗濯ネットに入れて洗濯機に投入したときに、水着用パッドは網１と網２に挟まれ固定されているので、型崩れを防止することができる。【選択図】図１
2018118021.tif 000002
【特許請求の範囲】
【請求項１】
ドーム状の大小の網を連結し、それぞれの網の間に水着用バストパッドを挟み込み、洗濯および脱水時の型崩れを防止することを特徴とした、洗濯用具。
【発明の詳細な説明】
【技術分野】
【０００１】  本発明は、水着用バストパッドを洗濯機で洗濯する際、洗濯および脱水による水着用バストパッドの型崩れを防止するものである。
【背景技術】
【０００２】  水着用バストパッドの洗濯は、洗濯機を使用すると洗濯および脱水時の圧縮により水着用バストパッドが型崩れしてしまうため、一般的に手洗いが推奨されている。
【発明の概要】
【発明の解決しようとする課題】
【０００３】  以上に述べた水着用バストパッドの手洗いは、通常の洗濯物のように絞ると型崩れしてしまうため、十分に脱水ができないという問題があった。
【０００４】  本発明は、このような問題を解決しようとするものであり、洗濯機で水着用バストパッドを洗濯する際に、水着用バストパッドが型崩れしないようにすることを目的とするものである。
【課題を解決するための手段】
【０００５】  そして、本発明は上記目的を達成するためにドーム状の大小の網を連結し、それぞれの網の間に水着用バストパッドを挟み込むようにした型崩れ防止洗濯用具である。
【発明の効果】
【０００６】  上述したように本発明の型崩れ防止洗濯用具は、洗濯機による洗濯および脱水時に水着用バストパッドの形状を保持することができ、型崩れせず水着用バストパッドを洗濯および脱水することができる。
【図面の簡単な説明】
【０００７】
【図１】本発明に係る型崩れ防止洗濯用具の斜視図である。
【図２】本発明に係る型崩れ防止洗濯用具の側面図である。
【図３】本発明に係る型崩れ防止洗濯用具の正面図である。
【発明を実施するための形態】
【０００８】  次に、本発明を実施するための形態について詳細に説明する。
【０００９】  図においては、１は水着用バストパッドを防止具で挟み込んだ際の凸側を覆う網であり、２は水着用バストパッドの凹側を覆う網である。
【００１０】  また、網１および網２はそれぞれ連結部３で連結されている。
【００１１】  以下、上記構成の使用方法を説明する。バストバッドを網１および網２の間に挟み込み、本洗濯用具が丁度収まる大きさの洗濯ネットに入れてばらばらにならないようにし、洗濯機に投入する。このとき、水着用バストパッドは洗浄および脱水されるが網１と網２に挟まれ固定されているためその形状を保持することができる。
【産業上の利用可能性】
【００１２】
【符号の説明】
【００１３】１  水着用バストパッドの凸側を覆う網
２  水着用バストパッドの凹側を覆う網
３  水着用バストパッドの凸側を覆う網と水着用バストパッドの凹側を覆う網の連結部
【図１】
2018118021.tif 000003
【図２】
2018118021.tif 000004
【図３】
2018118021.tif 000005
(57)【要約】【課題】フレコンバックからの着脱が容易なフレコンバック用スタンドを提案することを目的とする。【解決手段】  フレコンバック用スタンド１は左右の分割体１１、分割体１２からなる。それぞれの分割体１１，分割体１２は上部側がリング状フレームの袋体係止具２、下部側はリング状フレームの接地具３、上部と下部を連結する縦フレーム４から構成されている。フレコンバック用スタンド１は分割されて構成されているため着脱が容易で、内容物が充填されたフレコンバックであってもフレームが干渉することなく移動することが出来る。【選択図】図１
2018118749.tif 000002
【特許請求の範囲】
【請求項１】
平面視して複数に分割された複数の分割体からなり、各分割体が互いに独立移動可能に配置した態様でフレコンバックを支持することを特徴とする、
フレコンバック用スタンド。
【発明の詳細な説明】
【技術分野】
【０００１】
本発明は、フレコンバッグ（フレキシブルコンテナバック）と呼ばれる袋状容器に取り付け自立させるためのフレームに関する。
【背景技術】
【０００２】
建設現場でフレコンバッグに土砂を入れ大型土のうとしたり、廃棄物の収集運搬、粉体等を搬送する際に使用される大型の袋状容器にフレコンバッグと呼ばれるものが広く利用されている。
フレコンバッグは、箱型や円柱型の袋状容器で、上部に吊りベルトが付属しており、クレーン等で吊り上げて運ぶことができる。
材質はポリプロピレン・ポリエチレン等の柔軟な素材で作られており、使用しない時には小さく折り畳むことができる。しかし、フレコンバッグに廃棄物等を充填する際は、上部の充填口を広げた状態で支える必要がある。
【０００３】
従来、建設現場などでは単管パイプを組合せた枠や、市販されている専用のフレコンバッグ積載用スタンドを用いて、フレコンバッグの充填口を広げた状態で支えることが多かった。
しかし、これらの方法を用いてフレコンバッグを支えた状態で、土砂などの重量物を充填した場合、フレコンバッグの側部は孕み、フレコンバッグを枠やスタンドから取り出す際に、枠やスタンドのフレームにフレコンバッグが干渉して取り出しが困難となったり、フレコンバッグの破れの原因となることがある。
【０００４】
特許文献１では、フレコンバッグの３方を囲む側枠と底枠によってスタンドを形成し、重量物を充填した後に、左右の側枠が外方へ開くことにより、フレコンバッグの取り出しが容易となるフレコンバック専用スタンドが開示されている。特許文献１の場合、開閉可能とするために必要な部材や、３方の枠と底枠が必須な上に、重量物の側圧に耐えられる強度の枠が必要であり、重量物を充填するためにはスタンド自体の重量が大きくなる可能性が高い。その為、フレコンバッグ自体が軽量であるのにも関わらず、スタンドを使用した際の可搬性が悪くなる。また、キャスターなどを使用した場合であっても不陸な地面が多い建設現場では使えないことがある。
【先行技術文献】
【特許文献】
【０００５】
【特許文献１】実用新案登録３１２０７７８号公報
【発明の概要】
【発明が解決しようとする課題】
【０００６】
本発明は、重量物を充填した後の取り出しが容易で、軽量なフレコンバック用スタンドを提案することを課題とする。
【課題を解決するための手段】
【０００７】
本発明は平面視して複数に分割された複数の分割体からなり、各分割体が互いに独立移動可能に配置した態様でフレコンバックを支持することを特徴とするフレコンバック用スタンドである。
【発明の効果】
【０００８】
本発明のフレコンバック用スタンドは、充填後にフレームを取り除く際に、フレコンバックがフレームに干渉することなく取り出すことができる。また、フレコンバッグに重量物を入れる際も、フレームは荷重に耐える必要はないので、軽量なフレームとすることができる。
【図面の簡単な説明】
【０００９】
【図１】本発明の実施形態に係わる一例を示す図である。
【図２】本発明に係るスタンドの使用例を示す図である。
【図３】本発明に係るスタンドの使用例を示す図である。
【図４】本発明の実施形態に係わる一例を示す図である。
【発明を実施するための形態】
【００１０】
本発明のフレコンバッグ用スタンドにより、スタンドを使用して内容物を充填した後にフレコンバッグを搬送する際に、フレコンバッグが孕んでもスタンドのフレームがが干渉することなく、取り出すことが出来る。
【００１１】
本発明のフレコンバッグ用スタンドは、上部の充填口を広げた状態でフレコンバッグを自立させることができるので、内容物を充填させることが容易となる。
フレコンバッグに内容物が充填されても、スタンドには内容物の重量は掛かることはないため、フレームの剛性はフレコンバッグを自立させられる程度の重量で良いため、軽量に製作することが可能となる。
また、フレコンバッグが孕んでも本発明のスタンドは分割されているため、孕みを拘束することはない。  
【００１２】
以下、本発明の実施の形態を図面に基づいて説明する。
図１は、2分割されたフレコンバック用スタンド１の全体図である。フレコンバック用スタンド１は左右の分割体１１、分割体１２からなる。それぞれの分割体１１，分割体１２は上部側がリング状フレームの袋体係止具２、下部側はリング状フレームの接地具３、上部と下部を連結する縦フレーム４から構成されている。
【００１３】
フレコンバック用スタンド１は、袋体を支える強度があればよく、鉄筋として使用される棒鋼や塩ビ管等の樹脂製等が考えられるが、本実施例では、調達と加工の容易製を考慮して鉄筋（D13）を用いた。このため、フレコン用スタンド１は軽量に作成でき、可搬性に優れている。
【００１４】
図２は、フレコンバック用スタンド１にフレコンバック５を取り付けた図である。
フレコンバック５には土砂や、廃棄物を入れた後上部を絞ることが出来るように絞り部５１を備えている。フレコンバック用スタンド１にフレコンバック５を取り付ける際は、袋体係止具２に絞り部５１を折り返すように係止する。  
フレコンバック５は、上部が開口した状態を保持することができるので、フレコンバック５の上部から内容物を充填させることが容易となる。
フレコンバック５内容物を充填することで大きく孕むが、分割体であるので、自由に動くことができ、フレコンバック５自体を拘束することはない。
【００１５】
図３は、フレコンバックを移動させるために、フレコンバック用スタンド１を取り外した図である。フレームには内容物の重量が掛かることがなく、分割されているため、フレコンバック用スタンドの着脱は容易である。フレコンバック用スタンド１はフレコンバック５を吊り上げる際も引っかかることが無く容易に移動ができる。
【００１６】
図４は本発明の第二の実施形態を示す。  第二の実施形態は分割体１１、１２、１３、１４の４分割とした。４分割は２分割と比較して可搬性や収納性に優れる点はあるが、製造には手間が掛かるため、分割数は適宜選択すればよく、分割数は限定されるものではない。
【符号の説明】
【００１７】
１：フレコンバック用スタンド
２：袋体係止具
３：接地具
４：縦フレーム
【図１】
2018118749.tif 000003
【図２】
2018118749.tif 000004
【図３】
2018118749.tif 000005
【図４】
2018118749.tif 000006
(57)【要約】【課題】ドローン等の次世代輸送に於いてはモノの保護と省資源化、廃棄ゴミの減量化だけを目的とした従来の緩衝材では不十分であり、輸送物の重量をより積極的に減じる機能も求められる。【課題を解決するための手段】本発明では薄い樹脂性フィルムに空気を入れて構成される緩衝材において、空気に換わりヘリウムを充填密閉する。緩衝材のフィルムはポリエチレン、ポリプロピレン、ナイロン等の軽量素材とする。ヘリウムは希少資源となりつつあるのでこの緩衝材はリユースを前提とする。実際の輸送では緩衝材からのヘリウムの漏れを捕集する為、別途ガス捕集カバー等で輸送物上部を覆う様にする。これによりガス漏れが発生した場合の浮力低下と同時に輸送物の酸化防止等にも活用する。【選択図】図２
2018118753.tif 000002
【特許請求の範囲】
【請求項１】
フィルムに空気を注入し、密閉する緩衝材に於いて、空気に換わりヘリウムガスを入れることを特徴とするマイナスウエイト緩衝材。
【請求項２】
フィルムに空気を注入し、密閉するエアー緩衝材に於いて、空気に換わりヘリウム以外の空気より比重の軽い気体入れることを特徴とするマイナスウエイト緩衝材。
【請求項３】
前記、請求項1および請求項２の緩衝材を用いた輸送に於いて、図2のようなガス保持カバーで輸送物を被うことを特徴とする前記マイナスウエイト緩衝材の利用方法。
【請求項４】
図2の輸送用箱体の外側(底部、側部)に前記緩衝材を敷設することによりドローン落下時の周辺への損害を軽減することを特徴とする前記マイナスウエイト緩衝材の利用方法。
【発明の詳細な説明】
【技術分野】
【０００１】
本発明は薄いフィルムに空気を注入する緩衝材に於いて、空気より比重の軽いガスを入れ、貨物重量を積極的に減らすことが出来る緩衝材に関するものである。
【背景技術】
【０００２】
今後増えると考えられるドローンを用いた輸送に於いては梱包材は耐衝撃性だけでなく、貨物重量の減量化とリユース性が求められる。
【０００３】
注入気体は専ら空気であった。
【先行技術文献】
【特許文献】
【０００４】
【特許文献１】特表2004-524407(P2004-524407A) フォームクッションならびにその製造方法および使用方法  は従来のフォームに入れるガスの種別にヘリウムを記述しているが本発明の緩衝材とは基盤となる材料及びその形状および構成が大きく異なる。
【０００５】
また、ドローンの落下事故の際の衝撃を低減する技術も求められてる。
【発明の開示】
【発明が解決しようとする課題】
【０００６】
ドローン等の次世代輸送に於いてはモノの保護と梱包材の製造資源の低減化だけの従来の緩衝材では不十分となる。輸送物の重量を積極的に減じ、リユース出来、落下時の周辺への損害低減機能も求められる。
【課題を解決するための手段】
【０００７】
本発明ではエアー緩衝材の製造過程で送り込む空気吸引部に空気より比重の軽いガスを注入する。注入ガスとしてはヘリウムガスが有力であるが状況に於いては水素ガス、メタンガス、シアン化水素ガス、アンモニアガス等が考えられるが質量と安全性を考える。このガスによる浮力が重さ減じ、輸送時の消費エネルギーを削減できる。
【０００８】
貨物に対するヘリウムガス量を増やし、貨物重量を減じる事は落下時の衝撃力の低減となり、落下地点および貨物の損害の軽減につながる。
【０００９】
また、理論的には貨物重量をプラスからマイナス転じる事も可能であり、この場合、ドローン上昇時に浮力を与える事になる。
【００１０】
ヘリウムは高価なので当然、緩衝材は繰り返し使う必要があるが、貨物引き渡し後の輸送でドローンに浮力を与える効果はリユースの推進理由となる。
【００１１】
図2の輸送用箱体３の底部、側部にこの様な緩衝材を設置する(図示せず)とドローン落下時に外部に与える損害を軽減することも出来る。
【００１２】
シアン化水素ガスには毒性があるが、ガス漏れ量を調整した上で生鮮食品の輸送に用いれば燻蒸効果のある緩衝材となる。
【００１３】
図2のガス保持カバー４により漏れたガスを保持し、急な浮力低下防止と生鮮食品輸送に於いての酸化防止効果をもたらす。
【発明の効果】
【００１４】
本発明によれば、空気に変わり、比重の軽い気体を入れることで浮力による減量化が可能となり、輸送のエネルギー消費を低減し、同時に落下時のダメージ低減につながる。
【００１５】
また、ヘリウムガスは不活性である一方、分子が小さくフィルムから漏れ出す。この漏れを食品や精密機械の周辺に一定期間留め置くことで輸送中の鮮度保持、錆等の酸化防止効果がある。
【発明を実施するための最良の形態】
【００１６】
空気注入型の緩衝材に関することである。
【実施例】
【００１７】
図1の様な薄いフィルムに空気を入れた緩衝材に於いて、空気に取り込み口に軽量ガス（ヘリウムガス等）のボンベを付ける。ヘリウムガスは風船などで用いるもので取扱上の危険性が少なく安全である。
【００１８】
充填後はフィルムを高周波等で密閉しマイナスウエイト緩衝材となる。
【図面の簡単な説明】
【００１９】
【図１】ヘリウムガスが充填されたフィルム型緩衝材の一つの形状例を示す概念図である。
【図２】マイナスウエイト緩衝材の輸送時の実施例と漏れたガスを保持するガス保持カバーを示す概念図である。
【符号の説明】
【００２０】
１膨らんだフィルム面
２フィルム接合部
３輸送用箱体
４ガス保持カバー
５輸送物
【図１】
2018118753.tif 000003
【図２】
2018118753.tif 000004